(57)【要約】【課題】選択候補である複数の静止画像と、スロー再生のための動画像とを同時期に取得するデジタルカメラを提供すること。【解決手段】デジタルカメラは、繰り返し撮像された複数のフレーム画像を逐次記憶する記憶部と、記憶部に記憶された複数のフレーム画像に基づいて、記憶部による記憶時の第１フレームレートより低速の第２フレームレートで再生されるスローモーション動画像データを生成する動画像データ生成部と、記憶部に記憶された複数のフレーム画像から、所定の基準に基づく評価値の大小に応じて所定数のフレーム画像を選択する選択部と、選択部で選択されたフレーム画像に基づいて所定数の静止画像データを生成する静止画像データ生成部と、動画像データ生成部により生成されたスローモーション動画像データ、および静止画像データ生成部により生成された静止画像データを、互いに関連付けて記録媒体に記録する記録制御部と、を備える。【選択図】図１
2014049798.tif 000002
【特許請求の範囲】
【請求項１】
繰り返し撮像された複数のフレーム画像を逐次記憶する記憶部と、
前記記憶部に記憶された前記複数のフレーム画像に基づいて、前記記憶部による記憶時の第１フレームレートより低速の第２フレームレートで再生されるスローモーション動画像データを生成する動画像データ生成部と、
前記記憶部に記憶された前記複数のフレーム画像から、所定の基準に基づく評価値の大小に応じて所定数のフレーム画像を選択する選択部と、
前記選択部で選択された前記フレーム画像に基づいて前記所定数の静止画像データを生成する静止画像データ生成部と、
前記動画像データ生成部により生成された前記スローモーション動画像データ、および前記静止画像データ生成部により生成された前記所定数の静止画像データを、互いに関連付けて記録媒体に記録する記録制御部と、
を備えることを特徴とするデジタルカメラ。
【請求項２】
請求項１に記載のデジタルカメラにおいて、
前記記憶部は、前記選択部が前記所定数のフレーム画像の選択に用いる前記複数のフレーム画像を記憶する静止画用記憶部と、前記動画像データ生成部が前記スローモーション動画像データの生成に用いる前記複数のフレーム画像を記憶する動画用記憶部と、
を有することを特徴とするデジタルカメラ。
【請求項３】
請求項２に記載のデジタルカメラにおいて、
前記動画用記憶部に記憶するフレーム画像は、前記静止画用記憶部に記憶するフレーム画像と共通の精細度を有し、
前記動画像データ生成部は、前記フレーム画像の精細度を下げてから前記スローモーション動画像データを生成することを特徴とするデジタルカメラ。
【請求項４】
請求項３に記載のデジタルカメラにおいて、
前記静止画用記憶部に対する前記フレーム画像の記憶および読出しを制御する静止画用記憶制御部と、
前記動画用記憶部に対する前記フレーム画像の記憶および読出しを制御する動画用記憶制御部と、をさらに備え、
前記静止画用記憶制御部は、撮影指示に応じて撮像されたフレーム画像と、前記撮影指示を挟む所定時間内に前記第１フレームレートで撮像された複数のフレーム画像とを前記静止画用記憶部に記憶させ、
前記動画用記憶制御部は、前記撮影指示を挟む前記所定時間内に前記第１フレームレートで撮像された複数のフレーム画像を前記動画用記憶部に記憶させることを特徴とするデジタルカメラ。
【請求項５】
請求項４に記載のデジタルカメラにおいて、
前記選択部は、前記静止画用記憶部に記憶された前記複数のフレーム画像から、前記所定の基準に基づく評価値の大小に応じて前記所定数のフレーム画像を選択することを特徴とするデジタルカメラ。
【発明の詳細な説明】
【技術分野】
【０００１】
本発明は、デジタルカメラに関する。
【背景技術】
【０００２】
撮影指示の前後において取得した複数の静止画像の中から、数コマのベストショット画像を選ぶモードが知られている（特許文献１参照）。また、撮影指示時に取得した１つの静止画像と、該撮影指示の前後で取得した動画像をスロー再生するスロー再生動画像とを関連付けて記録するモードが知られている（特許文献２参照）。
【先行技術文献】
【特許文献】
【０００３】
【特許文献１】特開２０１１−２２９１２７号公報
【特許文献２】特開２０１１−２５０００４号公報
【発明の概要】
【発明が解決しようとする課題】
【０００４】
特許文献１のモードで得られる静止画像と、特許文献２のモードで得られるスロー再生動画像とを得るためには、特許文献１のモードと特許文献２のモードとを切替えて、それぞれのモードで画像を取得する必要があった。
【課題を解決するための手段】
【０００５】
本発明によるデジタルカメラは、繰り返し撮像された複数のフレーム画像を逐次記憶する記憶部と、記憶部に記憶された複数のフレーム画像に基づいて、記憶部による記憶時の第１フレームレートより低速の第２フレームレートで再生されるスローモーション動画像データを生成する動画像データ生成部と、記憶部に記憶された複数のフレーム画像から、所定の基準に基づく評価値の大小に応じて所定数のフレーム画像を選択する選択部と、選択部で選択されたフレーム画像に基づいて所定数の静止画像データを生成する静止画像データ生成部と、動画像データ生成部により生成されたスローモーション動画像データ、および静止画像データ生成部により生成された静止画像データを、互いに関連付けて記録媒体に記録する記録制御部と、を備えることを特徴とする。
【発明の効果】
【０００６】
本発明によるデジタルカメラでは、選択候補である複数の静止画像と、スロー再生のための動画像とを同時期に取得できる。
【図面の簡単な説明】
【０００７】
【図１】本発明の一実施の形態によるデジタルカメラの要部構成を例示するブロック図である。
【図２】スロー再生動画モードにおける画像の取得タイミングを説明する図である。
【発明を実施するための形態】
【０００８】
以下、図面を参照して本発明を実施するための形態について説明する。本実施の形態によるデジタルカメラは、通常の動画像を撮影する動画モードと別に、スロー再生動画モードを有する。スロー再生動画モードは、撮影指示の前後においてスロー再生のための動画像を取得しながら、ベストショット画像の候補となる複数コマの静止画像を上記撮影指示の前後において取得するモードである。本実施の形態の特徴は、スロー再生動画モードにあるので、以降の説明はスロー再生動画モードを中心に行う。
【０００９】
図１は、本発明の一実施の形態によるデジタルカメラの要部構成を例示するブロック図である。デジタルカメラは、カメラボディ１と交換レンズ２とで構成される。図１において、カメラボディ１は、撮像素子１０１と、バッファメモリ１０２と、制御部１０３と、駆動回路１０４と、モニタ１０５と、操作部材１０６とを含み、記録媒体１０が装着され、図示しない電池が装填される。
【００１０】
なお、図１にはカメラボディ１と着脱可能な交換レンズ２とで構成されるカメラシステムを例示したが、カメラボディとレンズとを一体に構成した（レンズ交換不能）デジタルカメラに対し、後述する画像の取得および記録を行う機能を搭載してもよい。その場合、図１において符号２の構成は、カメラボディ１に含まれることになる。
【００１１】
撮像素子１０１は、ＣＭＯＳイメージセンサなどで構成され、交換レンズ２を介して被写体像を撮像する。撮像素子１０１から出力された光電変換信号は、図示しないＡ／Ｄ変換部によってアナログ信号からデジタル信号に変換され、制御部１０３へ入力される。
【００１２】
バッファメモリ１０２は、撮像素子１０１からの撮像信号に基づいて生成された画像データを一時的に記憶する。バッファメモリ１０２は、静止画用領域１０２Ａと動画用領域１０２Ｂとを有する。静止画用領域１０２Ａは、複数の静止画像を記憶する。静止画用領域１０２Ａに記憶された複数の静止画像の中から、後述するベストショット画像が選ばれる。動画用領域１０２Ｂは、スロー再生動画像を構成するフレーム画像を記憶する。
【００１３】
本実施形態では、撮像素子１０１から所定のフレームレート（例えば６０ｆｐｓ）で出力される複数のフレーム画像を、バッファメモリ１０２の動画用領域１０２Ｂおよび静止画用領域１０２Ａにそれぞれ記憶する。各フレームの画像は、ＨＤＴＶ（高精細度テレビジョン）規格（例えば１９２０×１０８０ピクセル）の画素数を有する。
【００１４】
制御部１０３は、マイクロプロセッサ等により構成され、カメラシステムの各部を制御する。制御部１０３は、静止画用画像データブロック１０３Ａと、動画用画像データブロック１０３Ｃと、静止画処理ブロック１０３Ｂと、動画処理ブロック１０３Ｄと、カメラ制御部１０３Ｅとを含む。
【００１５】
静止画用画像データブロック１０３Ａは、バッファメモリ１０２の静止画用領域１０２Ａに対するフレーム画像の記憶および読出しを制御する。動画用画像データブロック１０３Ｃは、バッファメモリ１０２の動画用領域１０２Ｂに対するフレーム画像の記憶および読出しを制御する。
【００１６】
静止画処理ブロック１０３Ｂは、バッファメモリ１０２の静止画用領域１０２Ａに記憶されているフレーム画像からベストショット画像を選ぶ。具体的には、所定の基準に基づいて各フレーム画像に対する評価値を算出し、評価値が高い方から所定コマ数（例えば５コマ）のフレーム画像を選び、そのうち評価値が最も高いフレーム画像をベストショット画像とする。なお、設定メニューによって上記所定コマ数を変更可能（例えば３コマ、または１０コマ）に構成してもよい。
【００１７】
静止画処理ブロック１０３Ｂはさらに、上述のように選んだ所定コマ数のフレーム画像に対し、それぞれ静止画像用の画像処理および圧縮処理を施すことによって所定コマ数の静止画像データを生成する。また、静止画処理ブロック１０３Ｂは、モニタ１０５に静止画像データを再生表示する際は、モニタ１０５の表示解像度に応じて精細度を下げるように静止画像データをリサイズ処理する。
【００１８】
動画処理ブロック１０３Ｄは、動画用領域１０２Ｂに記憶されているフレーム画像に対し、精細度を下げる解像度変換（リサイズ）処理を行う。一般に、動画像の解像度は静止画の場合に比べて低いからである。動画処理ブロック１０３Ｄはさらに、リサイズ後の動画像に対し、動画像用の画像処理および圧縮処理を施すことによって動画像データやスロー再生動画像のデータを生成する。ここで、動画像データとは、撮像素子１０１で取得され、動画用領域１０２Ｂに記憶した際のフレームレートと同じフレームレート（本例では６０ｆｐｓ）で再生する動画像のデータをいう。これに対し、スロー再生動画データとは、撮像素子１０１で取得され、動画用領域１０２Ｂに記憶した際のフレームレートより遅いフレームレート（本例では２４ｆｐｓ）で再生する動画像のデータをいう。
【００１９】
カメラ制御部１０３Ｅは、装着された交換レンズ２に対する制御を行う。例えば、自動焦点調節（ＡＦ）制御や絞り制御を行う。カメラ制御部１０３Ｅはさらに、図示しないシャッター駆動機構やミラー駆動機構を駆動制御する。
【００２０】
記録媒体１０は、図示しないカードスロットに着脱可能に装着されるメモリカードによって構成される。記録媒体１０には、静止画処理ブロック１０３Ｂによって生成された静止画像データ、動画処理ブロック１０３Ｄによって生成された動画像データおよびスロー再生動画のデータが記録される。
【００２１】
モニタ１０５は、カメラボディ１の背面に搭載された液晶モニタである。当該モニタ１０５は、撮像素子１０１によって取得された画像、記録媒体１０に記録されている画像ファイルに基づく再生画像（動画像データに基づく動画像、スロー再生動画データに基づくスローモーション動画像、静止画像データに基づく静止画像）、カメラボディ１の機能を設定するためのメニュー画面などを表示する。
【００２２】
操作部材１０６は、電源スイッチ、シャッターボタン、メニューボタン、およびモード切替えダイヤルを含み、各操作に応じた操作信号を制御部１０３へ送出する。シャッターボタンは、撮影指示のための操作部材であり、メニューボタンは、メニュー画面をモニタ１０５に表示させるための操作部材である。モード切替えダイヤルは、動画モードとスロー再生動画モードとを切替えるための操作部材である。
【００２３】
スロー再生動画モードに切替えられた制御部１０３は、上記構成を有することにより、バッファメモリ１０２の動画用領域１０２Ｂに記憶された動画像のフレームレート（第１フレームレート：６０ｆｐｓ）より遅い、第２フレームレート（２４ｆｐｓ）で再生するためのスロー動画像データを生成する。制御部１０３はさらに、バッファメモリ１０２の静止画用領域１０２Ａに記憶された複数のフレーム画像から選んだ所定コマ数のフレーム画像に基づいて、所定コマ数の静止画像データを生成する。生成する静止画像データは、ＲＡＷ形式でもＪＰＥＧ形式でもよい。そして、生成したスロー動画像データおよび所定コマ数の静止画像データを、互いに関連付けて記録媒体１０に記録する。
【００２４】
以下、図２を参照してスロー再生動画モードにおける画像の取得タイミングを説明する。図２において、時刻ｔ０にシャッターボタンの半押し操作を示す半押し操作信号が入力されると、制御部１０３のカメラ制御部１０３Ｅは、レリーズ待機処理を開始させる。レリーズ待機処理は、撮像素子１０１に６０ｆｐｓのフレームレートで被写体像を撮像させ、取得される撮像信号に基づいて露出演算やフォーカス調節を行うとともに、取得した画像データを逐次バッファメモリ１０２の動画用領域１０２Ｂおよび静止画用領域１０２Ａにそれぞれ記憶する（プリキャプチャ）。
【００２５】
静止画用領域１０２Ａおよび動画用領域１０２Ｂのメモリ容量は、それぞれ十分な容量（例えば３００フレーム分）が確保されている。静止画用画像データブロック１０３Ａおよび動画用画像データブロック１０３Ｃは、時刻ｔ０以降に静止画用領域１０２Ａおよび動画用領域１０２Ｂ内にそれぞれ記憶したフレーム画像のフレーム数が上記３００フレームに達した場合には、それぞれ古いフレーム画像から順に上書き消去させる。これにより、プリキャプチャで使用する静止画用領域１０２Ａおよび動画用領域１０２Ｂのメモリ容量を制限できる。
【００２６】
時刻ｔ１にシャッターボタンの全押し操作を示す全押し操作信号が入力されると、カメラ制御部１０３Ｅは、レリーズ処理を開始させる。レリーズ処理では、静止画用画像データブロック１０３Ａが、全押し操作信号に応じて撮像素子１０１で撮像されたフレーム画像をバッファメモリ１０２の静止画用領域１０２Ａに記憶させる。
【００２７】
カメラ制御部１０３Ｅはさらに、時刻ｔ１以後も撮像素子１０１に６０ｆｐｓのフレームレートで被写体像を撮像させ、取得した画像データを逐次バッファメモリ１０２の動画用領域１０２Ｂおよび静止画用領域１０２Ａにそれぞれ記憶する（ポストキャプチャ）。
【００２８】
そして、時刻ｔ１より第１所定時間前（例えば０．６秒前）から時刻ｔ１までに動画用領域１０２Ｂに記憶された複数のフレーム画像、および時刻ｔ１から時刻ｔ１より第２所定時間後（例えば０．４秒後）までに動画用領域１０２Ｂに記憶された記憶された複数のフレーム画像（キャプチャ）に基づいて、動画処理ブロック１０３Ｄがスロー再生動画データを生成する。すなわち、時刻ｔ１を挟む１秒間（時刻ｔ１の０．６秒前から時刻ｔ１の０．４秒後）に動画用領域１０２Ｂに記憶された複数のフレーム画像に基づいて、再生時間が２．５秒間のスロー再生動画データを生成する。
【００２９】
一方、静止画処理ブロック１０３Ｂは、全押し操作信号に応じて撮像素子１０１で撮像され、バッファメモリ１０２の静止画用領域１０２Ａに記憶されているフレーム画像と、上記時刻ｔ１を挟む１秒間（時刻ｔ１の０．６秒前から時刻ｔ１の０．４秒後）までに静止画用領域１０２Ａに記憶された複数のフレーム画像（キャプチャ）に基づいて、設定メニューによって指定されている数（例えば５コマ）のフレーム画像を選ぶ。５コマのうち評価値が最も高いフレーム画像をベストショット画像とする。静止画処理ブロック１０３Ｂは、選択したフレーム画像に基づいて、それぞれ静止画像データを生成する。
【００３０】
なお、上記第１所定時間（時刻ｔ１の０．６秒前）、および第２所定時間（時刻ｔ１の０．４秒後）は、適宜変更可能に構成して構わない。
【００３１】
以上説明した実施形態によれば、次の作用効果が得られる。
（１）カメラボディ１は、繰り返し撮像された複数のフレーム画像を逐次記憶するバッファメモリ１０２と、バッファメモリ１０２に記憶された複数のフレーム画像に基づいて、バッファメモリ１０２による記憶時の６０ｆｐｓより低速の２４ｆｐｓで再生されるスローモーション動画像データを生成する動画処理ブロック１０３Ｄと、バッファメモリ１０２に記憶された複数のフレーム画像から、所定の基準に基づく評価値の大小に応じて５コマのフレーム画像を選択する静止画処理ブロック１０３Ｂと、静止画処理ブロック１０３Ｂで選択されたフレーム画像に基づいて５コマの静止画像データを生成する静止画処理ブロック１０３Ｂと、動画処理ブロック１０３Ｄにより生成されたスローモーション動画像データ、および静止画処理ブロック１０３Ｂにより生成された５コマの静止画像データを、互いに関連付けて記録媒体１０に記録する静止画処理ブロック１０３Ｂと、を備えるようにした。これにより、選択候補である複数の静止画像と、スロー再生のための動画像とを同時期に取得できるから、静止画像のベストショット画像およびスロー再生動画像の双方が得られる。スロー再生動画像を得ることで、静止画像のみを得る場合に比べて印象的な映像効果が得られる。
【００３２】
（２）上記（１）のカメラボディ１において、バッファメモリ１０２は、静止画処理ブロック１０３Ｂが５コマのフレーム画像の選択に用いる複数のフレーム画像を記憶する静止画用領域１０２Ａと、動画処理ブロック１０３Ｄがスローモーション動画像データの生成に用いる複数のフレーム画像を記憶する動画用領域１０２Ｂと、を有するので、静止画用領域１０２Ａのフレーム画像と動画用領域１０２Ｂのフレーム画像とに対し、それぞれ異なる処理を行える。
【００３３】
（３）上記（２）のカメラボディ１において、動画用領域１０２Ｂに記憶するフレーム画像は、静止画用領域１０２Ａに記憶するフレーム画像と共通の精細度（１９２０×１０８０ピクセル）を有し、動画処理ブロック１０３Ｄは、フレーム画像の精細度を下げてからスローモーション動画像データを生成するようにした。これにより、撮像素子１０１から読み出した共通の撮像信号をスロー再生動画像および静止画像の双方に用いることができる。共通の撮像信号を高精細にしておくことで、高精細な静止画像データが得られる。
【００３４】
（４）上記（３）のカメラボディ１において、静止画用領域１０２Ａに対するフレーム画像の記憶および読出しを制御する静止画用画像データブロック１０３Ａと、動画用領域１０２Ｂに対するフレーム画像の記憶および読出しを制御する動画用画像データブロック１０３Ｃと、をさらに備え、静止画用画像データブロック１０３Ａは、撮影指示に応じて撮像されたフレーム画像と、撮影指示を挟む１秒間内に６０ｆｐｓで撮像された複数のフレーム画像とを静止画用領域１０２Ａに記憶させ、動画用画像データブロック１０３Ｃは、撮影指示を挟む１秒間内に６０ｆｐｓで撮像された複数のフレーム画像を動画用領域１０２Ｂに記憶させるので、適切にフレーム画像を一時記憶できる。
【００３５】
（５）上記（４）のカメラボディ１において、静止画処理ブロック１０３Ｂは、静止画用領域１０２Ａに記憶された複数のフレーム画像から、所定の基準に基づく評価値の大小に応じて５コマのフレーム画像を選択するので、動画処理ブロック１０３Ｄによる処理と並行して（すなわち、動画処理ブロック１０３Ｄによる処理を待たずに）選択処理を行える。
【００３６】
（変形例）
上述したフレームレート、第１所定時間および第２所定時間、および精細度の値は、それぞれ適宜変更して構わない。
【００３７】
以上の説明はあくまで一例であり、上記の実施形態の構成に何ら限定されるものではない。
【符号の説明】
【００３８】
１…カメラボディ
２…交換レンズ
１０１…撮像素子
１０２…バッファメモリ
１０２Ａ…静止画用領域
１０２Ｂ…動画用領域
１０３…制御部
１０３Ａ…静止画用画像データブロック
１０３Ｂ…静止画処理ブロック
１０３Ｃ…動画用画像データブロック
１０３Ｄ…動画処理ブロック
１０３Ｅ…カメラ制御部
１０５…モニタ
１０６…操作部材
【図１】
2014049798.tif 000003
【図２】
2014049798.tif 000004